(57)【特許請求の範囲】
【請求項１】
移動通信デバイスが通信ネットワークにおいて接続される際に経由するホーム基地局によって実行される方法であって、
前記移動通信デバイスの再配置がトリガーされたことを判断すること、
前記再配置がトリガーされたことの判断に応じて、再配置要請メッセージを生成することであって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、生成すること、及び
前記再配置要請メッセージを前記通信ネットワーク内のゲートウェイデバイスに通信すること、
を含む、方法。
【請求項２】
ホーム基地局が通信ネットワークにおいて接続される際に経由するゲートウェイデバイスによって実行される方法であって、
前記ホーム基地局から、移動通信デバイスの再配置がトリガーされたことを示す再配置要請メッセージを受信することであって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信すること、及び
前記トランスペアレントなコンテナを前記通信ネットワークにおけるターゲットデバイスに通信すること、
を含む、方法。
【請求項３】
通信ネットワークにおけるコアネットワークの通信デバイスによって実行される方法であって、
移動通信デバイスの再配置がトリガーされたことを示す再配置要請メッセージを受信することであって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信すること、
前記再配置要請メッセージに基づいて再配置要求メッセージを生成することであって、該再配置要求メッセージは前記トランスペアレントなコンテナを含み、該トランスペアレントなコンテナは前記移動通信デバイスのアイデンティティを識別する情報を含む、生成すること、及び
前記再配置要求メッセージをターゲットゲートウェイデバイスに通信すること、
を含む、方法。
【請求項４】
ホーム基地局が通信ネットワークにおいて接続される際に経由するゲートウェイデバイスによって実行される方法であって、
前記ホーム基地局への移動通信デバイスの再配置がトリガーされたことを示す再配置メッセージを受信することであって、該再配置メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信すること、
接続メッセージを生成することであって、該接続メッセージは前記トランスペアレントなコンテナを含む、生成すること、及び
前記接続メッセージを前記ホーム基地局に通信すること、
を含む、方法。
【請求項５】
通信ネットワークにおいてホーム基地局によって実行される方法であって、
トランスペアレントなコンテナを含む接続メッセージを受信することであって、該トランスペアレントなコンテナは、前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信すること、及び
前記移動通信デバイスのアイデンティティを識別する前記情報によって識別された前記移動デバイスとの接続を確立すること、
を含む、方法。
【請求項６】
通信ネットワークにおける移動通信デバイスによる接続先のホーム基地局であって、
前記移動通信デバイスの再配置がトリガーされたことを判断する手段と、
前記再配置がトリガーされたことの判断に応じて、再配置要請メッセージを生成する手段であって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、生成する手段と、
前記再配置要請メッセージを前記通信ネットワークにおけるゲートウェイデバイスに通信する手段と、
を備える、ホーム基地局。
【請求項７】
通信ネットワークにおけるホーム基地局による接続先のゲートウェイデバイスであって、
前記ホーム基地局から、移動通信デバイスの再配置がトリガーされたことを示す再配置要請メッセージを受信する手段であって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信する手段と、
前記再配置要請メッセージを前記通信ネットワークのコアネットワークにおける通信デバイスに通信する手段と、
を備える、ゲートウェイデバイス。
【請求項８】
通信ネットワークにおけるコアネットワークの一部を形成する通信デバイスであって、
移動通信デバイスの再配置がトリガーされたことを示す再配置要請メッセージを受信する手段であって、該再配置要請メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信する手段と、
前記再配置要請メッセージに基づいて再配置要求メッセージを生成する手段であって、該再配置要求メッセージは前記トランスペアレントなコンテナを含み、該トランスペアレントなコンテナは前記移動通信デバイスのアイデンティティを識別する情報を含む、生成する手段と、
前記再配置要求メッセージをターゲットゲートウェイデバイスに通信する手段と、
を備える、通信デバイス。
【請求項９】
通信ネットワークにおけるホーム基地局による接続先のゲートウェイデバイスであって、
前記ホーム基地局への移動通信デバイスの再配置がトリガーされたことを示す再配置メッセージを受信する手段であって、該再配置要求メッセージはトランスペアレントなコンテナを含み、該トランスペアレントなコンテナは前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信する手段と、
接続メッセージを生成する手段であって、該接続メッセージは前記トランスペアレントなコンテナを含む、生成する手段と、
前記接続メッセージを前記ホーム基地局に通信する手段と、
を備える、ゲートウェイデバイス。
【請求項１０】
通信ネットワークにおける接続のためのホーム基地局であって、
トランスペアレントなコンテナを含む接続メッセージを受信する手段であって、該トランスペアレントなコンテナは、前記移動通信デバイスのアイデンティティを識別する情報を含み、前記移動通信デバイスのアイデンティティを識別する前記情報は一時移動体加入者識別番号（ＴＭＳＩ）及びパケット一時移動体加入者識別番号（Ｐ−ＴＭＳＩ）の少なくとも１つを含む、受信する手段と、
前記移動通信デバイスのアイデンティティを識別する前記情報によって識別された前記移動デバイスとの接続を確立する手段と、
を備える、ホーム基地局。
【発明の詳細な説明】
【技術分野】
【０００１】
本発明は、移動電気通信ネットワークに関し、排他的ではないが特に、３ＧＰＰ（第３世代パートナーシッププロジェクト）標準規格又はその等価物若しくは派生物に従って動作するネットワークに関する。本発明は、排他的ではないが特に、基地局間の再配置に関し、より具体的にはホーム基地局又は他の基地局からホーム基地局への再配置に関する。
【０００２】
本出願は、２００９年４月２０日に出願された英国特許出願第０９０６８１８．０号に基づくと共に該特許出願からの利益又は優先権を主張する。該特許出願の開示は参照によりその全体が本明細書に援用される。
【背景技術】
【０００３】
３ＧＰＰ標準規格の下で、ＮｏｄｅＢ（又はＬＴＥにおいてはｅＮＢ）は、移動デバイスが基地局を介してコアネットワークに接続する、該基地局である。最近では、３ＧＰＰ標準化団体は、公式のアーキテクチャを採用し、ホーム基地局（ＨＮＢ）のための新たな標準規格に対する取り組みを始めた。ホーム基地局がＬＴＥ（ロングタームエボリューション）標準規格に従って動作している場合、ＨＮＢはＨｅＮＢと呼ばれることがある。同様のアーキテクチャがＷｉＭＡＸネットワークにおいても適用されることになる。この場合、ホーム基地局は一般にフェムトセルと呼ばれる。単純にするために、本出願は、任意のそのようなホーム基地局に言及するのに用語ＨＮＢを用い、他の基地局（ＨＮＢが動作するマクロセルの基地局等）に言及するのに用語ＮｏｄｅＢを総称的に用いる。ＨＮＢはホーム内の無線カバレッジ（たとえば３Ｇ／４Ｇ／ＷｉＭＡＸ）を提供し、適切な公衆ネットワークを介して（たとえばインターネットへのＡＤＳＬリンクを介して）コアネットワークに接続し、３ＧＰＰ標準規格の場合には、通常いくつかのＨＮＢからのトラフィックを集約するオプションのＨＮＢゲートウェイ（ＨＮＢ−ＧＷ）を介してコアネットワークに接続する。
【０００４】
通常、呼を開始するとき、移動電話（ＭＴ）又は他の移動通信デバイス（ＭＣＤ）等のユーザー機器（ＵＥ）は、たとえば、ＨＮＢ／ＮｏｄｅＢが近傍の他のＨＮＢ／ＮｏｄｅＢに対する呼をサポートする能力に基づいてそのＨＮＢ又はＮｏｄｅＢに登録する。呼が開始すると、たとえばＵＥのロケーションの変化、又は元のＨＮＢ／ＮｏｄｅＢによって提供されるサービスの品質に影響を及ぼす他の要因の結果として、元のＨＮＢ／ＮｏｄｅＢがその呼のサポートを継続する相対能力が変化することに起因して、その呼を別のＨＮＢ／ＮｏｄｅＢに再配置することが必要となる場合がある。ＨＮＢ対ＨＮＢ再配置の場合、再配置はサービングＨＮＢ−ＧＷの変更（ＨＮＢ−ＧＷ間再配置）も必要とする場合がある。ＵＥが絶えず動いているとき（たとえばＵＥが移動している車両内に配置されているとき）、再配置は単一の呼の間に数回発生する可能性がある。
【０００５】
ＨＮＢは、複数のアクセスモード、すなわち、ＨＮＢが限定加入者グループ（ＣＳＧ）セルとして動作する「クローズド」モード、（たとえば、ＣＳＧメンバーの優先処理を可能にするために）ＨＮＢがＣＳＧセルとして動作し、同時に非ＣＳＧメンバーがアクセスを許可される「ハイブリッド」モード、及びＨＮＢが通常の（非ＣＳＧ）セルとして動作する「オープン」モード、のうちの１つを用いて動作するように構成することができる。
【０００６】
初期ＵＥ登録手順中、ＵＥのＣＳＧ能力に依拠して、ＨＮＢ−ＧＷによってアクセス制御が実行される。非ＣＳＧ機器（たとえばプレリリース８ユーザー機器）の場合、関連標準規格（３ＧＰＰ  ＴＳ２５．４６７  Ｖ８．０．０）の現在のバージョンによれば、登録中のアクセス制御はＨＮＢ−ＧＷにおいて強制的に実行され、ＨＮＢにおいてオプションで実行される。ＣＳＧ機器（たとえばリリース８ユーザー機器）の場合、ＨＮＢ−ＧＷにおけるアクセス制御メカニズムは常にＵＥ登録を受理し、後続のアクセス制御はコアネットワークにおいて実行される。
【０００７】
（たとえばＣＳＧ  ＵＥの）ＨＮＢ−ＧＷ間再配置の場合、再配置の後、新たなソースＨＮＢ−ＧＷは、後続の再配置のためにアクセス制御が実行されるべきか否かを判断する手段を有しない。したがって、アクセス制御は正しく実施されない場合がある。
【０００８】
さらに、再配置中に、（たとえば非ＣＳＧ  ＵＥに関して）アクセス制御が新たなソースＨＮＢ−ＧＷによって実行され、かつターゲットＨＮＢが閉アクセスモードで動作するように構成されることが確立された場合、ＨＮＢ−ＧＷはアクセスを拒否し、その結果呼が中断する可能性がある。元の呼が緊急呼である場合、これは非常に望ましくない。
【０００９】
現在、３ＧＰＰにおいて、再配置要求（たとえばＲＡＮＡＰ再配置要求（RANAP RELOCATION REQUEST））が、（たとえば「永続ＮＡＳ  ＵＥアイデンティティ」情報要素内に）再配置が要求されるＵＥの国際移動体加入者識別番号（ＩＭＳＩ）を含むことが要件とされている。しかしながら、ＨＮＢに登録したＵＥは、ＩＭＳＩ、一時移動体加入者識別番号（ＴＭＳＩ）、パケット一時移動体加入者識別番号（Ｐ−ＴＭＳＩ）、国際移動機器識別番号（ＩＭＥＩ）等を含むいくつかのアイデンティティの選択を用いて自身を識別する場合がある。したがって、再配置の後、元のコンテキストにリンクされたＵＥアイデンティティが失われる場合があるという危険性がある。
【００１０】
したがって、ＮｏｄｅＢ対ＨＮＢ（「マクロ対フェムト」）再配置及びＨＮＢ対ＨＮＢ（フェムト対フェムト）再配置に応じることは、詳細にはアクセス制御に関して、特にＨＮＢ−ＧＷ間再配置の場合に、多数の課題を呈する。
【発明の概要】
【発明が解決しようとする課題】
【００１１】
当業者の理解を効率よくするために本発明を３Ｇシステムの文脈で詳細に説明するが、本発明の原理は、移動デバイス又はユーザー機器（ＵＥ）がいくつかの基地局のうちの１つと通信する他のシステム（ＷｉＭＡＸ等）にも適用することができ、ここで該システムの対応する要素は要求に応じて変更されている。
【００１２】
したがって、本発明の好ましい実施の形態は、ＵＥ能力、ＵＥアイデンティティ、及び／又は登録理由のうちの少なくとも１つを再配置の開始時にターゲットＨＮＢ及び／又はターゲットＨＮＢ−ＧＷに利用可能にすることができるメカニズムを提供することによって上記の問題のうちの１つ又は複数に対処することを目的としている。
【課題を解決するための手段】
【００１３】
本発明の一態様によれば、ホーム基地局が通信ネットワークにおいて接続される際に経由するゲートウェイデバイスによって実行される方法であって、
前記ホーム基地局への移動通信デバイスの再配置がトリガーされたことを示す再配置要求メッセージを受信することであって、該再配置要求メッセージは、前記ゲートウェイデバイスによって抽出可能な形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信すること、
前記再配置要求メッセージから、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を抽出すること、
を含む、方法が提供される。
【００１４】
前記再配置要求メッセージは、前記ゲートウェイデバイスによって抽出可能な形態で、
前記移動通信デバイスの、限定加入者グループ（ＣＳＧ）のメンバーシップをサポートする能力を識別する前記情報と、
前記通信ネットワークにおける前記移動通信デバイスの登録理由を識別する前記情報と、
の双方（又は一方のみ）を含むことができる。
【００１５】
前記再配置要求メッセージは、符号化された形態の、前記移動通信デバイスの、前記限定加入者グループ（ＣＳＧ）のメンバーシップをサポートする前記能力を識別する前記情報と、前記ターゲットゲートウェイデバイスによって抽出可能な形態の、前記通信ネットワークにおける前記移動通信デバイスの前記登録理由を識別する前記情報と、を含むことができる。前記方法は、前記再配置要求メッセージを前記ターゲットホーム基地局に通信することをさらに含むことができ、前記ターゲットホーム基地局から、前記ゲートウェイデバイスによって抽出可能な形態で、前記移動通信デバイスの、前記限定加入者グループ（ＣＳＧ）のメンバーシップをサポートする前記能力を識別する前記情報を含む応答メッセージを受信することを含むことができ、前記応答メッセージから、前記移動通信デバイスの、前記限定加入者グループ（ＣＳＧ）のメンバーシップをサポートする前記能力を識別する前記情報を抽出することを含むことができる。
【００１６】
本発明の別の態様によれば、ターゲットホーム基地局が通信ネットワークにおいて接続される際に経由するゲートウェイデバイスによって実行される方法であって、
前記ターゲットホーム基地局への移動通信デバイスの再配置がトリガーされたことを示す再配置要求メッセージを受信することであって、該再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信すること、
前記再配置要求メッセージを前記ターゲットホーム基地局に通信すること、
前記ターゲットホーム基地局から、前記ゲートウェイデバイスによって抽出可能な形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む応答メッセージを受信すること、及び
前記応答メッセージから、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を抽出すること、
を含む、方法が提供される。
【００１７】
前記再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
の双方（又は一方）を含むことができる。
【００１８】
前記再配置要求メッセージは、符号化された形態の、前記移動通信デバイスの、前記限定加入者グループ（ＣＳＧ）のメンバーシップをサポートする前記能力を識別する前記情報を含むことができ、前記ターゲットゲートウェイデバイスによって抽出可能な形態の、前記通信ネットワークにおける前記移動通信デバイスの前記登録理由を識別する前記情報を含むことができる。前記方法は、前記再配置要求メッセージから、前記通信ネットワークにおける前記移動通信デバイスの登録理由をを識別する前記情報を抽出することをさらに含むことができる。
【００１９】
本発明の別の態様によれば、通信ネットワークにおけるターゲットホーム基地局によって実行される方法であって、
ターゲットゲートウェイデバイスから、前記ターゲットホーム基地局への移動通信デバイスの再配置がトリガーされたことを示す再配置要求メッセージを受信することであって、該再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信すること、
前記再配置要求メッセージから前記符号化された情報を抽出すること、
前記ターゲットゲートウェイデバイスによって抽出可能な形態で前記抽出された情報を含む応答メッセージを生成すること、及び
前記応答メッセージを前記ターゲットゲートウェイデバイスに通信すること、
を含む、方法が提供される。
【００２０】
前記再配置要求メッセージは、符号化された形態で、前記移動通信デバイスの、限定加入者グループ（ＣＳＧ）のメンバーシップをサポートする能力を識別する前記情報と、前記通信ネットワークにおける前記移動通信デバイスの登録理由を識別する前記情報と、
を含むことができる。
【００２１】
前記再配置要求メッセージは、符号化された形態の、前記移動通信デバイスの、前記限定加入者グループ（ＣＳＧ）のメンバーシップをサポートする前記能力を識別する前記情報を含むことができ、前記ターゲットゲートウェイデバイスによって抽出可能な形態の、前記通信ネットワークにおける前記移動通信デバイスの前記登録理由を識別する前記情報を含むことができる。
【００２２】
本発明の別の態様によれば、移動通信デバイスが通信ネットワークにおいて通信ノードを介して接続される、該通信ノードによって実行される方法であって、
前記移動通信デバイスの再配置がトリガーされたことを判断すること、
前記再配置がトリガーされたことの判断に応じて、再配置要請メッセージを生成することであって、該再配置要請メッセージは、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、生成すること、及び
前記再配置要請メッセージを前記通信ネットワークのさらなる通信ノードに通信すること、
を含む、方法が提供される。
【００２３】
前記生成するステップは、ゲートウェイデバイスによって抽出可能な形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成することを含むことができる。
【００２４】
前記生成するステップは、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を無線ネットワークコントローラ（ＲＮＣ）メッセージに含む前記再配置要請メッセージを生成することを含むことができる。
【００２５】
前記ＲＮＣメッセージは、ソース無線ネットワークコントローラ（ＲＮＣ）からターゲット無線ネットワークコントローラ（ＲＮＣ）へのトランスペアレントなコンテナとすることができる。
【００２６】
前記方法は、ホーム基地局が実行することができる。
【００２７】
前記生成するステップは、符号化された形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成することを含むことができる。
【００２８】
前記生成するステップは、無線リソース制御（ＲＲＣ）メッセージに符号化された、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成することを含むことができる。
【００２９】
前記ＲＲＣメッセージはサービング無線ネットワークサブシステム（ＳＲＮＳ）再配置情報メッセージを含むことができる。
【００３０】
前記方法は、無線ネットワークコントローラが実行することができる。
【００３１】
前記生成するステップは、符号化された形態で、前記移動通信デバイスの、前記限定加入者グループ（ＣＳＧ）のメンバーシップをサポートする前記能力を識別する前記情報を含む前記再配置要請メッセージを生成することを含むことができる。
【００３２】
本発明の別の態様によれば、ホーム基地局が通信ネットワークにおいて接続される際に経由するゲートウェイデバイスによって実行される方法であって、
移動通信デバイスの再配置がトリガーされたことを示す再配置要請メッセージを受信することであって、該再配置要請メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信すること、及び
前記再配置要請メッセージを前記通信ネットワークにおけるコアネットワークの通信デバイスに通信すること、
を含む、方法が提供される。
【００３３】
本発明の別の態様によれば、通信ネットワークにおけるコアネットワークの通信デバイスによって実行される方法であって、
移動通信デバイスの再配置がトリガーされたことを示す再配置要請メッセージを受信することであって、該再配置要請メッセージは、符号化された形態で、前記移動通信デバイスの、限定加入者グループ（ＣＳＧ）のメンバーシップをサポートする能力を識別する情報を含む、受信すること、
前記再配置要請メッセージに基づいて再配置要求メッセージを生成することであって、該再配置要求メッセージは、前記符号化された情報と、ゲートウェイデバイスによって抽出可能な形態の、前記通信ネットワークにおける前記移動通信デバイスの登録理由を識別する情報とを含む、生成すること、及び
前記再配置要求メッセージをターゲットゲートウェイデバイスに通信すること、
を含む、方法が提供される。
【００３４】
本発明の別の態様によれば、通信ネットワークにおけるホーム基地局による接続先のゲートウェイデバイスであって、
前記ホーム基地局への移動通信デバイスの再配置がトリガーされたことを示す再配置要求メッセージを受信する手段（たとえば受信機）であって、該再配置要求メッセージは、前記ゲートウェイデバイスによって抽出可能な形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信する手段と、
前記再配置要求メッセージから、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を抽出する手段（たとえば抽出器／プロセッサ）と、
を備える、ゲートウェイデバイスが提供される。
【００３５】
前記再配置要求メッセージは、前記ゲートウェイデバイスによって抽出可能な形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
の双方（又は一方）を含むことができる。
【００３６】
前記再配置要求メッセージは、符号化された形態の、前記移動通信デバイスの、前記限定加入者グループ（ＣＳＧ）のメンバーシップをサポートする前記能力を識別する前記情報を含むことができ、前記ターゲットゲートウェイデバイスによって抽出可能な形態の、前記通信ネットワークにおける前記移動通信デバイスの前記登録理由を識別する前記情報を含むことができる。前記ゲートウェイデバイスは、前記再配置要求メッセージを前記ターゲットホーム基地局に通信する手段と、前記ターゲットホーム基地局から、前記ゲートウェイデバイスによって抽出可能な形態で、前記移動通信デバイスの、前記限定加入者グループ（ＣＳＧ）のメンバーシップをサポートする前記能力を識別する前記情報を含む応答メッセージを受信する手段（たとえば受信機）と、前記応答メッセージから、前記移動通信デバイスの、前記限定加入者グループ（ＣＳＧ）のメンバーシップをサポートする前記能力を識別する前記情報を抽出する手段（たとえば抽出器／プロセッサ）と、をさらに含むことができる。
【００３７】
本発明の別の態様によれば、通信ネットワークにおけるホーム基地局による接続先のゲートウェイデバイスであって、
前記ターゲットホーム基地局への移動通信デバイスの再配置がトリガーされたことを示す再配置要求メッセージを受信する手段（たとえば受信機）であって、該再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信する手段と、
前記再配置要求メッセージを前記ターゲットホーム基地局に通信する手段と、
前記ターゲットホーム基地局から、前記ゲートウェイデバイスによって抽出可能な形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む応答メッセージを受信する手段（たとえば受信機）と、
前記応答メッセージから、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を抽出する手段（たとえば抽出器／プロセッサ）と、
を備える、ゲートウェイデバイスが提供される。
【００３８】
前記再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
の双方（又は一方）を含むことができる。
【００３９】
前記再配置要求メッセージは、符号化された形態の、前記移動通信デバイスの、前記限定加入者グループ（ＣＳＧ）のメンバーシップをサポートする前記能力を識別する前記情報と、前記ゲートウェイデバイスによって抽出可能な形態の、前記通信ネットワークにおける前記移動通信デバイスの前記登録理由を識別する前記情報と、を含むことができる。前記ゲートウェイデバイスは、前記再配置要求メッセージから、前記通信ネットワークにおける前記移動通信デバイスの前記登録理由を識別する前記情報を抽出する手段（たとえば抽出器／プロセッサ）、をさらに備えることができる。
【００４０】
本発明の別の態様によれば、通信ネットワークおける接続のためのホーム基地局であって、
ターゲットゲートウェイデバイスから、前記ホーム基地局への移動通信デバイスの再配置がトリガーされたことを示す再配置要求メッセージを受信する手段（たとえば受信機）であって、該再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信する手段と、
前記再配置要求メッセージから前記符号化された情報を抽出する手段（たとえば抽出器／プロセッサ）と、
前記ターゲットゲートウェイデバイスによって抽出可能な形態で前記抽出された情報を含む応答メッセージを生成する手段（たとえば生成器／メッセージ生成器）と、
前記応答メッセージを前記ターゲットゲートウェイデバイスに通信する手段と、
を備える、ホーム基地局が提供される。
【００４１】
前記再配置要求メッセージは、符号化された形態で、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
の双方（又は一方）を含むことができる。
【００４２】
前記再配置要求メッセージは、
符号化された形態の、前記移動通信デバイスの、前記限定加入者グループ（ＣＳＧ）のメンバーシップをサポートする前記能力を識別する前記情報と、
前記ゲートウェイデバイスによって抽出可能な形態の、前記通信ネットワークにおける前記移動通信デバイスの前記登録理由を識別する前記情報と、
を含むことができる。
【００４３】
本発明の別の態様によれば、移動通信デバイスが通信ネットワークにおいて接続用の通信ノードを介して接続可能である、該接続用の通信ノードであって、
前記移動通信デバイスの再配置がトリガーされたことを判断する手段（たとえば判断器）と、
前記再配置がトリガーされたことの判断に応じて、再配置要請メッセージを生成する手段（たとえば生成器／メッセージ生成器）であって、該再配置要請メッセージは、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、生成する手段と、
前記再配置要請メッセージを前記通信ネットワークのさらなる通信ノードに通信する手段と、
を備える、通信ノードが提供される。
【００４４】
前記生成する手段は、ゲートウェイデバイスによって抽出可能な形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成するように構成することができる。
【００４５】
前記生成する手段は、無線ネットワークコントローラ（ＲＮＣ）メッセージに、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成するように構成することができる。
【００４６】
前記ＲＮＣメッセージは、ソース無線ネットワークコントローラ（ＲＮＣ）からターゲット無線ネットワークコントローラ（ＲＮＣ）へのトランスペアレントなコンテナとすることができる。
【００４７】
ホーム基地局が、前記判断する手段と、前記生成する手段と、前記通信する手段とを備えることができる。
【００４８】
前記生成する手段は、符号化された形態で、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成するように構成することができる。
【００４９】
前記生成する手段は、無線リソース制御（ＲＲＣ）メッセージに符号化された、
前記移動通信デバイスの、前記限定加入者グループ（ＣＳＧ）のメンバーシップをサポートする前記能力を識別する前記情報と、
前記通信ネットワークにおける前記移動通信デバイスの前記登録理由を識別する前記情報と、
のうちの前記少なくとも一方を含む前記再配置要請メッセージを生成するように構成することができる。
【００５０】
前記ＲＲＣメッセージはサービング無線ネットワークサブシステム（ＳＲＮＳ）再配置情報メッセージを含むことができる。
【００５１】
無線ネットワークコントローラ（ＲＮＣ）が、前記判断する手段と、前記生成する手段と、前記通信する手段とを備えることができる。
【００５２】
前記生成する手段は、符号化された形態で、前記移動通信デバイスの、前記限定加入者グループ（ＣＳＧ）のメンバーシップをサポートする前記能力を識別する前記情報を含む前記再配置要請メッセージを生成するように構成することができる。
【００５３】
本発明の別の態様によれば、通信ネットワークにおけるホーム基地局による接続先のゲートウェイデバイスであって、
移動通信デバイスの再配置がトリガーされたことを示す再配置要請メッセージを受信する手段（たとえば受信機）であって、該再配置要請メッセージは、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含む、受信する手段と、
前記再配置要請メッセージを前記通信ネットワークのコアネットワークの通信デバイスに通信する手段と、
を備える、ゲートウェイデバイスが提供される。
【００５４】
本発明の別の態様によれば、通信ネットワークにおけるコアネットワークの一部をなす通信デバイスであって、
移動通信デバイスの再配置がトリガーされたことを示す再配置要請メッセージを受信する手段（たとえば受信機）であって、該再配置要請メッセージは、符号化された形態で、前記移動通信デバイスの、限定加入者グループ（ＣＳＧ）のメンバーシップをサポートする能力を識別する情報を含む、受信する手段と、
前記再配置要請メッセージに基づいて再配置要求メッセージを生成する手段（たとえば生成器／メッセージ生成器）であって、該再配置要求メッセージは、前記符号化された情報と、ゲートウェイデバイスによって抽出可能な形態の、前記通信ネットワークにおける前記移動通信デバイスの登録理由を識別する情報とを含む、生成する手段と、
前記再配置要求メッセージをターゲットゲートウェイデバイスに通信する手段と、
を備える、通信デバイスが提供される。
【００５５】
他の例示的な特徴
（たとえばゲートウェイデバイスとホーム基地局との間のかつ／又は逆もまた同様の）再配置要求（relocation request）及び／又は再配置要請（relocation required）メッセージの転送は、再配置要求メッセージを伝送するための転送メッセージを生成し、該転送メッセージにおいて再配置要求／要請メッセージを受信者（たとえばホーム基地局／ゲートウェイデバイス）に通信することによって達成することができる。転送メッセージはＲＡＮＡＰユーザー申請（ＲＵＡ）メッセージ、たとえばＲＵＡ直接転送メッセージ又はＲＵＡ接続メッセージを含むことができる。
【００５６】
再配置要求メッセージは、無線アクセスネットワークアプリケーション部（ＲＡＮＡＰ）再配置要求メッセージを含むことができる。
【００５７】
移動通信デバイスがＣＳＧのメンバーシップをサポートするか否かを識別する情報は、「ＵＥ能力」情報要素／情報要素グループを含むことができ、「ＣＳＧ能力」情報要素を含むことができ、「ＵＥ無線アクセス能力」情報要素／情報要素グループを含むことができ、かつ／又は「ＣＳＧのサポート」情報要素を含むことができる。
【００５８】
上記移動通信デバイスがＣＳＧをサポートするか否かを識別する情報は、移動通信デバイスのリリースバージョンを識別する情報、たとえばアクセス層リリース指示子を含むことができる。
【００５９】
移動通信デバイスの登録理由を識別する情報は、登録が緊急呼によって生じたか否かを識別する情報を含むことができ、かつ／又は「登録理由」情報要素／情報要素グループを含むことができる。
【００６０】
再配置要求及び／又は再配置要請メッセージは、再配置がトリガーされた移動通信デバイスを識別する情報を含むことができる。再配置がトリガーされた移動通信デバイスを識別する情報は、複数の異なる形態の識別証明を提供する情報要素／情報要素グループを含むことができる。複数の異なる形態の識別証明は、（たとえば「永続ＮＡＳ  ＵＥアイデンティティ」における）再配置が必要とされるＵＥの国際移動体加入者識別番号（ＩＭＳＩ）、一時移動体加入者識別番号（ＴＭＳＩ）、パケット一時移動体加入者識別番号（Ｐ−ＴＭＳＩ）、国際移動機器識別番号（ＩＭＥＩ）のうちの任意のものを含むことができる。情報要素／情報要素グループは「ＵＥアイデンティティ」要素／グループを含むことができる。
【００６１】
本発明の別の態様によれば、ホーム基地局が通信ネットワークにおいて接続される際に経由するゲートウェイデバイスによって実行される方法であって、
移動通信デバイスの再配置がトリガーされたことを示す再配置要請メッセージを受信することであって、該再配置要請メッセージは、アクセス制御をどのように実行するべきか及び実行すべきか否かに関する判定の基礎とすることができる情報を含む、受信すること、並びに
前記再配置要請メッセージを前記通信ネットワークのコアネットワーク内の通信デバイスに通信すること、
を含む、方法が提供される。
【００６２】
アクセス制御をどのように実行するべきか及び実行すべきか否かに関する判定基礎とすることができる前記情報は、
前記移動通信デバイスの、限定加入者グループ（ＣＳＧ）のメンバーシップをサポートする能力を識別する情報と、
前記通信ネットワークにおける前記移動通信デバイスの登録理由を識別する情報と、
のうちの少なくとも一方を含むことができる。
【００６３】
前記再配置要請メッセージは、無線アクセスネットワークアプリケーション部（ＲＡＮＡＰ）再配置要請メッセージを含むことができる。
【００６４】
本発明は、全ての開示される方法について、対応する機器上で実行するための対応するコンピュータープログラム又はコンピュータープログラム製品、該機器そのもの（ユーザー機器、ノード、又はそれらの構成要素）、及び該機器を更新する方法を提供する。
【００６５】
次に、本発明の実施形態を、添付の図面を参照して、例として説明する。
【図面の簡単な説明】
【００６６】
【図１】実施形態が適用可能なタイプの移動電気通信システムを概略的に示す図である。
【図２】図１に示すシステムの一部を形成する移動電話のブロック図である。
【図３】図１に示すシステムの無線ネットワークコントローラ形成部のブロック図である。
【図４】図１に示すシステムの一部を形成するホーム基地局のブロック図である。
【図５】図１に示すシステムの一部を形成するｓゲートウェイのブロック図である。
【図６】図１のシステムの例示的な一実施態様によって実行される再配置手順を示すタイミング図である。
【図７】図１のシステムの別の例示的な実施態様によって実行される再配置手順を示すタイミング図である。
【図８】図１のシステムの別の例示的な実施態様によって実行される再配置手順を示すタイミング図である。
【発明を実施するための形態】
【００６７】
概観
図１は、移動電話（ＭＴ）３のユーザーが、自身がアクセス許可を受けることができる複数の「ホーム」基地局（ＨＮＢ）ベースのセル９−１、９−２（包括的に９）のいずれからも離れているときに、該ユーザーが、３Ｇ無線アクセスネットワーク（ＲＡＮ）基地局５のマクロセル、無線ネットワークコントローラ（ＲＮＣ）７、及びコア電話ネットワーク８を介して他のユーザー（図示せず）と通信することができる移動（セルラー）電気通信システム１を概略的に示している。電気通信システム１において、ユーザーがＨＮＢベースのセル９−１、９−２のうちの１つの中にいるとき、該ユーザーは、それぞれのＨＮＢ１１−１、１１−２（包括的に１１）のセル９−１、９−２、公衆データネットワーク（この場合インターネット１３）、それぞれのホーム基地局ゲートウェイ（ＨＮＢ−ＧＷ）１５−１、１５−２（包括的に１５）、及びコア電話ネットワーク８を介して他のユーザー（図示せず）と通信することもできる。各ＨＮＢ１１−１、１１−２は通常、ＡＤＳＬ又はケーブル接続１６−１、１６−２（包括的に１６）等の適切なインターネット接続を介してそれぞれのＨＮＢ−ＧＷ１５−１、１５−２に接続し、それぞれのＨＮＢ−ＧＷ１５−１、１５−２のＩＰアドレスを用いて、全てのアップリンク通信がそれぞれのＨＮＢ−ＧＷ１５−１、１５−２を介して送信されるようにプログラムされる。当業者であれば理解するように、各ＨＮＢ１１−１、１１−２は複数の異なる移動電話３と通信することができる。任意の数のＨＮＢベースのセル９が存在することができること、及び同じＨＮＢ−ＧＷ１５を複数のＨＮＢ１１によって共有することができることがさらに理解されよう。
【００６８】
電気通信システム１は、マクロセルからＨＮＢベースのセル９−１、９−２のうちの１つへのＵＥの再配置Ａ−１、Ａ−２（逆もまた同様）、並びに１つのＨＮＢベースのセル９−１、９−２から別のＨＮＢベースのセルへの再配置Ｂ−１、Ｂ−２を含む、セル間のモビリティをサポートするように構成される。
【００６９】
移動電話
図２は、図１に示す移動電話３の主要構成要素を概略的に示している。図示されるように、移動電話３は、１つ又は複数のアンテナ２５を介してＲＡＮ基地局５又はＨＮＢ１１に対し信号を送受信するように動作可能な送受信機回路部２３を備える。図示されるように、移動電話３は、該移動電話３の動作を制御するコントローラ２７も備え、該コントローラ２７は、送受信機回路２３、並びにスピーカ２９、マイクロフォン３１、ディスプレイ３３、及びキーパッド３５に接続される。コントローラ２７はメモリ３７内に記憶されるソフトウェア命令に従って動作する。図示されるように、これらのソフトウェア命令には、中でも、オペレーティングシステム３９、通信制御モジュール４０、及び移動電話登録モジュール４１が含まれる。移動電話３が該移動電話３のＨＮＢ１１の範囲内にあるときに、通信制御モジュール４０はＨＮＢ１１との通信を制御し、移動電話登録モジュール４１は、ホーム基地局１１を選択する。選択は自動とすることもでき、ユーザーによって手動で制御することもできる。
【００７０】
ＨＮＢ１１への初期登録中、移動電話登録モジュール４１は、移動電話のアイデンティティ（たとえば該移動電話の国際移動体加入者識別番号（ＩＭＳＩ）、一時移動体加入者識別番号（ＴＭＳＩ）、パケット一時移動体加入者識別番号（Ｐ−ＴＭＳＩ）等）、移動電話の能力（たとえば該移動電話のアクセス層リリース指示子及び／又は限定加入者グループ能力）、並びにＨＮＢへの登録事由（たとえば、呼が緊急呼であるか否か）を識別する情報を含む、ＨＮＢに通信するための登録情報を適切なシグナリングを用いて生成する。
【００７１】
無線ネットワークコントローラ
図３は、図１に示すＲＮＣ７の主要構成要素を示すブロック図である。ＲＮＣ７は、基地局５に対し、基地局インターフェース７３を介して信号を送受信するように動作可能であり、かつ電話ネットワークの残りに対し、ネットワークインターフェース７５を介して信号を送受信するように動作可能である送受信機回路７１を備える。コントローラ７７は、メモリ７９内に格納されているソフトウェアに従って送受信機回路７１の動作を制御する。ソフトウェアには、中でも、オペレーティングシステム８１と、無線リソース管理機能を実行するための無線リソース管理モジュール８３と、移動電話３が接続される際に介する基地局５のマクロセルから別の基地局のセル（たとえば関連付けられたＨＮＢ１１のセル９）への移動電話３の再配置（逆もまた同様）を管理するためのモビリティ管理モジュール８５とが含まれる。
【００７２】
ＲＮＣ７の機能を基地局５と統合して、基地局が単一の通信ノードにおいてＲＮＣ７の無線リソース管理機能を組み込むことを可能にすることができることが理解されよう。
【００７３】
ホーム基地局
図４は、図１に示すホーム基地局（ＨＮＢ）１１の主要構成要素を示すブロック図である。図示されるように、ＨＮＢ１１は、１つ又は複数のアンテナ５３を介して移動電話３に対し信号を送受信するように動作可能であり、かつＨＮＢ−ＧＷインターフェース５５を介してＨＮＢ−ＧＷ１５に対し信号を送受信するように動作可能である送受信機回路部５１を備える。送受信機回路部５１の動作は、メモリ５９内に格納されているソフトウェアに従ってコントローラ５７によって制御される。このソフトウェアには、中でも、オペレーティングシステム６１、基地局登録モジュール６３、電話登録モジュール６５、無線リソース管理モジュール６７、及びモビリティ管理モジュール６９が含まれる。基地局登録モジュール６３は、ＨＮＢをＨＮＢ−ＧＷ１５に登録するように動作可能であり、移動電話登録モジュール６５は移動電話３を該移動電話登録モジュール６５及びＨＮＢ−ＧＷ１５に登録するように動作可能であり、該登録は、たとえば移動電話のアイデンティティ、該移動電話の能力、及びＨＮＢへの登録事由を含む適切な登録情報を与えることを含む。無線リソース管理モジュール６７は、ＨＮＢ１１と移動電話３と間の通信を制御し、特に、（たとえば図１のＲＮＣ７の無線リソース管理機能と類似した、）ＲＮＣに通常関連付けられた無線リソース管理機能を実行するように動作可能であり、該無線リソース管理機能は、たとえば無線リソース制御（ＲＲＣ）メッセージの符号化及び復号を含む。これらの機能は専用ＲＮＣにおいて別個に提供することができることが理解されよう。モビリティ管理モジュール６９は、関連付けられたＨＮＢ１１のセル９から別の基地局のセル（たとえば別のＨＮＢ１１又はマクロセルに関連付けられた別のセル９）への移動電話３の再配置（逆もまた同様）を管理するように動作可能であり、該再配置は、同じＨＮＢ−ＧＷ１５に接続されたＨＮＢ１１へのＨＮＢ−ＧＷ内再配置、及び異なるＨＮＢ−ＧＷ１５に接続されたＨＮＢ１１へのＨＮＢ−ＧＷ間再配置の双方を含む。
【００７４】
ＨＮＢゲートウェイ
図５は、図１に示すＨＮＢゲートウェイ（ＨＮＢ−ＧＷ）１５の主要構成要素を示すブロック図である。図示するように、ＨＮＢ−ＧＷ１５は、ＨＮＢインターフェース１０３を介してＨＮＢ１１に対し信号を送受信するように動作可能であり、かつコアネットワークインターフェース１０５を介してコアネットワーク８に対し信号を送受信するように動作可能である送受信機回路１０１を備える。送受信機回路１０１の動作は、メモリ１０９内に記憶されているソフトウェアに従ってコントローラ１０７によって制御される。このソフトウェアには、中でも、オペレーティングシステム１１１、ＨＮＢモジュール１１３、移動電話登録モジュール１１５、及びモビリティ管理モジュール１１７が含まれる。ＨＮＢ登録モジュール１１３はＨＮＢ１１の登録を制御するように動作可能であり、移動電話登録モジュール１１５は移動電話３の登録を制御し、必要に応じてアクセス制御を実行するように動作可能である。モビリティ管理モジュール１１７は、１つのセルから別のセルへの再配置、特に、ＨＮＢ−ＧＷ１５を介して接続されたＨＮＢ１１のセル９から異なるＨＮＢ−ＧＷを介して接続されたＨＮＢのセル９への移動電話３のＨＮＢ−ＧＷ内再配置（逆もまた同様）、及び、ＨＮＢ−ＧＷ１５を介して接続されたＨＮＢ１１のセル９からマクロセルへの移動電話３の再配置（逆もまた同様）を管理するように動作可能である。
【００７５】
上記の説明では、移動電話３、ＲＮＣ７、ホーム基地局１１、及びＨＮＢ−ＧＷ１５は、理解を容易にするために、複数の別個のモジュール（通信制御モジュール及びパラメーター制御モジュール等）を有するものとして説明されている。これらのモジュールは、たとえば既存のシステムが本発明を実施するように変更された或る特定の用途の場合、このように提供することができるが、他の用途、たとえば本発明による特徴を始めから念頭において設計されたシステムでは、これらのモジュールはオペレーティングシステム又はコード全体に組み込むこともでき、このためこれらのモジュールは別個のエンティティとして区別可能でない場合がある。
【００７６】
例示的な実施態様
次に、図１に示す電気通信システム１の様々な構成要素の動作及び図６〜図８のタイミング図を参照して、例として例示的な実施態様を説明する。
【００７７】
（１）フェムト対フェムト再配置−ソースＲＮＣからターゲットＲＮＣへのトランスペアレントなコンテナの使用
図６は、ＨＮＢ−ＧＷ間再配中の図１の電気通信システム１の例示的な一実施態様の動作を示している。
【００７８】
図６に示す実施態様によれば、各ＨＮＢ１１（ソースＨＮＢとして動作しているとき）のモビリティ管理モジュール６９は、再配置がトリガーされると、再配置要請メッセージをソースＨＮＢ−ＧＷ１５に転送するための転送メッセージの生成を管理するように動作可能である。
【００７９】
任意の適切な再配置要請メッセージを組む込んだ任意の適切な転送メッセージを生成することができる。たとえば、転送メッセージはＲＡＮＡＰユーザー適応（ＲＵＡ）メッセージ（たとえば、３ＧＰＰ  ＴＳ２５．４１３  ｖ．８．２．１のセクション９．１．４において言及されているようなＲＵＡ直接転送（RUA DIRECT TRANSFER）メッセージ又はその変形、表１を参照されたい）とすることができ、再配置要請メッセージは無線アクセスネットワークアプリケーション部（ＲＡＮＡＰ）再配置要請メッセージ（RELOCATION REQUIRED MESSAGE）（たとえば、３ＧＰＰ  ＴＳ２５．４１３  ｖ．８．２．１のセクション９．１．９において言及されているようなＲＡＮＡＰ再配置要請メッセージ又はその変形）とすることができる。
【００８０】
【表１】
0005408459.tif 000002
【００８１】
モビリティ管理モジュール６９は、再配置要請メッセージ内に、複数の情報要素（ＩＥ）及び／又はＩＥグループを含めるように動作可能である。該複数の情報要素（ＩＥ）及び／又はＩＥグループは、
（ａ）ソースＲＮＣ及びターゲットＲＮＣ（それぞれ、説明される実施態様におけるソースＨＮＢ及びターゲットＨＮＢの一部）並びにターゲットセルを識別する情報（たとえば、ＳＲＮＣ  ｉｄ、ＴＲＮＣ  ｉｄ、及びターゲットセルＩＤ）と、
（ｂ）移動電話のアイデンティティを識別する情報（たとえば該移動電話の国際移動体加入者識別番号（ＩＭＳＩ）、一時移動体加入者識別番号（ＴＭＳＩ）、パケット一時移動体加入者識別番号（Ｐ−ＴＭＳＩ）等）（たとえば、３ＧＰＰ  ＴＳ２５．４６９  ｖ８．１．０のセクション９．２．１７において言及されているＩＥ／ＩＥグループ「ＵＥアイデンティティ」又はその変形、以下の表２を参照されたい）と、
（ｃ）移動電話の能力を識別する情報（たとえば、該移動電話のアクセス層リリース指示子及び／又は限定加入者グループ能力）（たとえば、３ＧＰＰ  ＴＳ２５．４６９  ｖ８．１．０のセクション９．２．２４において言及されているＩＥ／ＩＥグループ「ＵＥ能力」又はその変形、以下の表３を参照されたい）と、
（ｄ）ＨＮＢへの登録事由を識別する情報（たとえば、呼が緊急呼であるか否か）（たとえば、３ＧＰＰ  ＴＳ２５．４６９  ｖ８．１．０のセクション９．２．２１において言及されているＩＥ／ＩＥグループ「登録理由」又はその変形、以下の表４を参照されたい）と、
を含む。
【００８２】
移動電話の能力を識別する情報及び元の登録の事由を識別する情報はそれぞれ、ＨＮＢ−ＧＷ１５が、識別された移動電話３についてアクセス制御を実行するべきか否かかつ／又はどのように実行するべきかを判断することができる基礎となる情報を構成する。
【００８３】
【表２】
0005408459.tif 000003
【００８４】
【表３】
0005408459.tif 000004
【００８５】
【表４】
0005408459.tif 000005
【００８６】
有利には、モビリティ管理モジュール６９は、移動電話のアイデンティティ及び能力を識別する情報、並びに元の登録の理由（上記の（ｂ）〜（ｄ）に記載される）を、コアネットワーク８にトランスペアレントになるように、たとえば、３ＧＰＰ  ＴＳ２５．４１３  ｖ８．２．１のセクション９．２．１．２８において言及されている「ソースＲＮＣからターゲットＲＮＣへのトランスペアレントなコンテナ」の変更バージョン等のいわゆる「トランスペアレントコンテナ」又は（たとえば表５に示されるような）その変形においてパッケージングするように動作可能である。
【００８７】
【表５】
0005408459.tif 000006
【００８８】
トランスペアレントなコンテナは上記の（ｂ）〜（ｄ）に示した全ての情報を必ずしも含まず、代わりに情報のサブセットを含むこともできることが理解されよう。たとえば、トランスペアレントなコンテナは移動電話のアイデンティティを識別する情報を含まない場合がある。さらに、アクセス制御を実行するべきか否か及び／又はどのように実行するべきかの判定の基礎とすることができる、識別された情報のタイプのうちの１つのみ（又は実際、そのような判定が含まれることができるさらなる／代替的な情報）を含めることもできる。
【００８９】
モビリティ管理モジュール６９は、転送メッセージが生成されると、該転送メッセージを、ＨＮＢ−ＧＷインターフェース５５を介してソースＨＮＢ−ＧＷへ通信するのを管理するようにさらに動作可能である。
【００９０】
各ＨＮＢ−ＧＷ１５は、ソースＨＮＢ−ＧＷとして機能しているとき、ソースＨＮＢによって生成され通信された転送メッセージを、該ＨＮＢ−ＧＷのＨＮＢインターフェース１０３を介して受信するように動作可能である。各ＨＮＢ−ＧＷ１５（ソースＨＮＢ−ＧＷとして動作しているとき）のモビリティ管理モジュール１１７は、転送メッセージから再配置要請メッセージ（RELOCATION REQUEST MESSAGE）（上記の情報（ｂ）〜（ｄ）を搬送するトランスペアレントなコンテナを備える）を抽出し、該抽出した再配置要請メッセージをコアネットワーク８のインターフェース１０５を介してコアネットワーク８に通信するのを管理するように動作可能である。
【００９１】
コアネットワーク８は、再配置要請メッセージを受信し、該再配置要請メッセージに基づいて再配置要求メッセージを生成し、該生成された要求メッセージをターゲットＨＮＢ−ＧＷに通信するように動作可能である。再配置要求メッセージは任意の適切なメッセージ、たとえば、無線アクセスネットワークアプリケーション部（ＲＡＮＡＰ）再配置要求メッセージ（たとえば３ＧＰＰ  ＴＳ２５．４１３  ｖ．８．２．１のセクション９．１．１０において言及されているようなＲＡＮＡＰ再配置要請メッセージ又はその変形）とすることができ、該ＲＡＮＡＰ再配置要請メッセージは、移動電話のアイデンティティ及び能力並びに元の登録の理由を識別する情報を搬送するトランスペアレントなコンテナと、ターゲットセルを識別する情報（たとえば、ターゲットセルＩＤ）とを含む。
【００９２】
各ＨＮＢ−ＧＷ１５（ターゲットＨＮＢ−ＧＷとして動作しているとき）は、コアネットワークインターフェース１０５を介してコアネットワーク８によって該ＨＮＢ−ＧＷ１５に通信された再配置要求メッセージを受信するように動作可能である。ＨＮＢ−ＧＷ（ターゲットＨＮＢ−ＧＷとして動作しているとき）のモビリティ管理モジュール１１７は、移動電話のアイデンティティ及び能力、並びに元の登録の理由を、再配置要求メッセージによって搬送されるトランスペアレントなコンテナから抽出するのを管理するように動作可能である。
【００９３】
各ＨＮＢ−ＧＷ１５（ターゲットＨＮＢ−ＧＷとして動作しているとき）のモビリティ管理モジュール１１７は、ターゲットＨＮＢとのシグナリング接続を確立し、該ターゲットＨＮＢに再配置要求メッセージを伝送するためのＲＵＡ接続メッセージ（たとえば３ＧＰＰ  ＴＳ２５．４６８  ｖ．８．１．０のセクション９．１．３において言及されているようなＲＵＡ接続メッセージ（RUA CONNECT MESSAGE）又はその変形、表６）の生成を管理するようにさらに動作可能である。
【００９４】
【表６】
0005408459.tif 000007
【００９５】
各ＨＮＢ（ターゲットＨＮＢとして動作しているとき）は、ＨＮＢ−ＧＷインターフェース５５を介してＲＵＡ接続メッセージを受信するように動作可能である。ターゲットＨＮＢのモビリティ管理モジュール６９は、受信したＲＵＡ接続メッセージから再配置要求メッセージを抽出し、トランスペアレントなコンテナから、移動電話のアイデンティティ及び能力、並びに元の登録の理由を抽出するのを管理するように動作可能である。
【００９６】
ターゲットＨＮＢのモビリティ管理モジュール６９及びターゲットＨＮＢゲートウェイのモビリティ管理モジュール１１７は、移動電話の再配置の完了を管理するようにさらに動作可能であり、該再配置の完了は、移動電話の能力（特に該移動電話のＣＳＧ能力）及び／又は元の呼の理由（特に呼が緊急呼であるか否か）を識別する情報に基づいて、ターゲット（新たなソース）ＨＮＢ−ＧＷ及び／又はターゲット（新たなソース）ＨＮＢによって実行されることになる任意のアクセス制御の特性を求めること、並びにそのようなアクセス制御を所望の場合に実行することを含む。
【００９７】
このため、この実施態様によれば、ソースＨＮＢ１１からターゲットＨＮＢ１１への再配置の後、ソースＨＮＢ１１において利用可能な情報（たとえばＵＥ能力、登録理由、及びＵＥアイデンティティ）が、有利にはターゲットＨＮＢ１１及びターゲットＨＮＢ−ＧＷ１５の双方において利用可能にされる。能力情報を利用可能にすることによって、新たなＨＮＢ−ＧＷ１５が、移動電話がＣＳＧ対応であるか否か、及び／又は移動電話がプレリリース８電話であるか否かに基づいて、アクセス制御を実行するべきか否か及び／又はどのように実行するべきかを判断することが可能になる。登録理由を利用可能にすることによって、新たなＨＮＢ−ＧＷ１５が、進行中の呼が緊急呼であるか否かに基づいて、アクセス制御を実行するべきか否か及び／又はどのように実行するべきかを判断することが可能になる。アイデンティティ情報を利用可能にすることによって、再配置の後に、ＵＥアイデンティティが、登録時に電話を識別するのに元々用いられた形態でＨＮＢ−ＧＷにおいて維持されることが確実になり、したがって、元のコンテキストにリンクされたままのＵＥアイデンティティが失われないことが確実になる。
【００９８】
情報を「ＲＡＮＡＰ再配置要請（RANAP RELOCATION REQUIRED）」メッセージにおける「ソースＲＮＣからターゲットＲＮＣへのトランスペアレントなコンテナ」に導入することによって、好都合には情報をターゲットＨＮＢ−ＧＷに提供するのに必要とされるシグナリングも（たとえば以下の実施形態と比較して）低減される。
【００９９】
（２）フェムト対フェムト再配置−サービング無線ネットワークサブシステム（ＳＲＮＳ）再配置情報（SERVING RADIO NETWORK SUBSYSTEM (SRNS) RELOCATION INFO）メッセージの使用
図７は、ＨＮＢ−ＧＷ間再配置中の図１の電気通信システム１の別の例示的な実施態様の動作を示している。
【０１００】
図７に示す実施態様によれば、各ＨＮＢ１１のモビリティ管理モジュール６９（ソースＨＮＢとして動作しているとき）は、再配置がトリガーされると、再配置要請メッセージを図６に示す実施態様と類似した方法でソースＨＮＢ−ＧＷに転送するためのメッセージの生成を管理するように動作可能である。
【０１０１】
図６の実施態様と同様に、モビリティ管理モジュール６９は、有利には、無線アクセスネットワークアプリケーション部（ＲＡＮＡＰ）再配置要請メッセージ（たとえば３ＧＰＰ  ＴＳ２５．４１３  ｖ．８．２．１のセクション９．１．９において言及されているようなＲＡＮＡＰ再配置要請メッセージ又はその変形）等をＨＮＢ−ＧＷ１５に伝送するためのＲＡＮＡＰユーザー適応（ＲＵＡ）メッセージ（たとえば３ＧＰＰ  ＴＳ２５．４６８  ｖ．８．１．０のセクション９．１．４において言及されているようなＲＵＡ直接転送メッセージ又はその変形、表１を参照されたい）の生成を管理するように動作可能である。
【０１０２】
モビリティ管理モジュール６９は、再配置要請メッセージ内に、複数の情報要素（ＩＥ）及び／又はＩＥグループを含めるように構成される。該複数の情報要素（ＩＥ）及び／又はＩＥグループは、
（ａ）ソースＲＮＣ及びターゲットＲＮＣ（それぞれ、説明される実施態様におけるソースＨＮＢ及びターゲットＨＮＢの一部）並びにターゲットセルを識別する情報（たとえば、ＳＲＮＣ  ｉｄ、ＴＲＮＣ  ｉｄ、及びターゲットセルＩＤ）と、
（ｂ）移動電話のアイデンティティを識別する情報（たとえば該移動電話の国際移動体加入者識別番号（ＩＭＳＩ）、一時移動体加入者識別番号（ＴＭＳＩ）、パケット一時移動体加入者識別番号（Ｐ−ＴＭＳＩ）等）（たとえば、３ＧＰＰ  ＴＳ２５．４６９  ｖ８．１．０のセクション９．２．１７において言及されているＩＥ／ＩＥグループ「ＵＥアイデンティティ」又はその変形、表２を参照されたい）と、
（ｃ）移動電話の能力を識別する情報（たとえば、該移動電話のアクセス層リリース指示子及び／又は限定加入者グループ能力）（たとえば、３ＧＰＰ  ＴＳ２５．４６９  ｖ８．１．０のセクション９．２．２４において言及されているＩＥ／ＩＥグループ「ＵＥ能力」又はその変形、表３を参照されたい）と、
（ｄ）ＨＮＢへの登録事由を識別する情報（たとえば、呼が緊急呼であるか否か）（たとえば、３ＧＰＰ  ＴＳ２５．４６９  ｖ８．１．０のセクション９．２．２１において言及されているＩＥ／ＩＥグループ「登録理由」又はその変形、表４を参照されたい）と、
を含む。
【０１０３】
移動電話の能力を識別する情報及び元の登録の事由を識別する情報はそれぞれ、ＨＮＢ−ＧＷ１５が、識別された移動電話についてアクセス制御を実行するべきか否かかつ／又はどのように実行するべきかを判断することができる基礎となる情報を構成する。
【０１０４】
しかしながら、図６の実施態様とは異なり、モビリティ管理モジュール６９は移動電話のアイデンティティ及び能力を識別する情報、並びに元の登録の理由を、再配置情報を搬送するのに適した無線リソース制御（ＲＲＣ）メッセージ、たとえば３ＧＰＰ  ＴＳ２５．３３１バージョン８．６．０のセクション１４．１２．４．２において言及されているような「サービング無線ネットワークサブシステム（ＳＲＮＳ）再配置情報」メッセージの変更バージョン又はその変形内に、（たとえば無線リソース管理モジュール６７のＲＲＣ符号化機能を用いて）符号化するのを管理するように動作可能である。
【０１０５】
ＲＲＣ再配置情報メッセージは上記の（ｂ）〜（ｄ）に示した全ての情報を必ずしも含まず、代わりに情報のサブセットを含むこともできることが理解されよう。たとえば、再配置情報メッセージは移動電話のアイデンティティを識別する情報を含まない場合がある。たとえば、アクセス制御を実行するべきか否か及び／又はどのように実行するべきかの判定の基礎とすることができる、識別された情報のタイプのうちの１つのみを含めることもできる（又は実際、そのような判定の基礎とすることができるさらなる／代替的な情報を含めることもできる）。
【０１０６】
モビリティ管理モジュール６９は、転送メッセージが生成されると、該転送メッセージを、ＨＮＢ−ＧＷインターフェース５５を介してソースＨＮＢ−ＧＷへ通信するのを管理するようにさらに動作可能である。
【０１０７】
各ＨＮＢ−ＧＷ１５は、ソースＨＮＢ−ＧＷとして機能しているとき、ソースＨＮＢによって生成され通信された転送メッセージを、該ＨＮＢ−ＧＷのＨＮＢインターフェース１０３を介して受信するように動作可能である。各ＨＮＢ−ＧＷ１５（ソースＨＮＢ−ＧＷとして動作しているとき）のモビリティ管理モジュール１１７は、転送メッセージから再配置要請メッセージ（RELOCATION REQUEST MESSAGE）（上記の情報（ｂ）〜（ｄ）を符号化した再配置情報メッセージを備える）を抽出し、該抽出した再配置要請メッセージをコアネットワークインターフェース１０５を介してコアネットワーク８に通信するのを管理するように動作可能である。
【０１０８】
コアネットワーク８は、再配置要請メッセージを受信し、該再配置要請メッセージに基づいて再配置要求メッセージを生成し、該生成された要求メッセージをターゲットＨＮＢ−ＧＷに通信するように動作可能である。再配置要求メッセージは任意の適切なメッセージ、たとえば、無線アクセスネットワークアプリケーション部（ＲＡＮＡＰ）再配置要求メッセージ（たとえば３ＧＰＰ  ＴＳ２５．４１３  ｖ．８．２．１のセクション９．１．１０において言及されているようなもの）とすることができ、該ＲＡＮＡＰ再配置要請メッセージは、移動電話のアイデンティティ及び能力並びに元の登録の理由を識別する情報を搬送するトランスペアレントなコンテナと、ターゲットセルを識別する情報（たとえば、ターゲットセルＩＤ）とを含む。
【０１０９】
各ＨＮＢ−ＧＷ１５（ターゲットＨＮＢ−ＧＷとして動作しているとき）は、コアネットワークインターフェース１０５を介してコアネットワーク８によって該ＨＮＢ−ＧＷ１５に通信された再配置要求メッセージを受信するように動作可能である。しかしながら、ＨＮＢ−ＧＷ１５は一般に、ＲＲＣ復号器を設けられておらず、したがって、一般に（ＲＲＣ）再配置情報メッセージ等のＲＲＣメッセージを復号することができない。したがって、この一般的な場合において、ターゲットＨＮＢ−ＧＷ１５は、移動電話のアイデンティティ及び能力、並びに元の登録の理由を、再配置要求メッセージによって搬送される再配置情報メッセージから直接抽出することができないことになる。
【０１１０】
各ＨＮＢ−ＧＷ１５（ターゲットＨＮＢ−ＧＷとして動作しているとき）のモビリティ管理モジュール１１７は、ターゲットＨＮＢとのシグナリング接続を確立し、該ターゲットＨＮＢに再配置要求メッセージを伝送するためのＲＵＡ接続メッセージ（たとえば３ＧＰＰ  ＴＳ２５．４６８  ｖ．８．１．０のセクション９．１．３において言及されているようなＲＵＡ接続メッセージ（RUA CONNECT MESSAGE）又はその変形、表６）を生成するようにさらに動作可能である。
【０１１１】
各ＨＮＢ（ターゲットＨＮＢとして機能しているとき）は、ＨＮＢ−ＧＷインターフェース５５を介してＲＵＡ接続メッセージを受信するように動作可能である。ターゲットＨＮＢのモビリティ管理モジュール６９は、受信したＲＵＡ接続メッセージから再配置要求メッセージを抽出し、再配置要求メッセージによって搬送されるＲＲＣ再配置情報メッセージから、移動電話のアイデンティティ及び能力、並びに元の登録の理由を、（たとえば無線リソース管理モジュール６７によって提供されるＲＲＣ復号機能を用いて）復号するのを管理するように動作可能である。
【０１１２】
モビリティ管理モジュール６９は、抽出された、移動電話のアイデンティティ及び能力を識別する情報、並びに元の登録の理由を識別する情報を、ターゲットＨＮＢ−ＧＷ１５に返送するためのメッセージの生成を管理し、その後、生成されたメッセージをターゲットＨＮＢ−ＧＷ１５に通信するのを管理するようにさらに動作可能である。メッセージは、ターゲットＨＮＢ−ＧＷ１５が解釈するのに適した任意のメッセージ、たとえば、専用ＨＮＢアプリケーション部（ＨＮＢＡＰ）プロトコルメッセージ又は既存のメッセージの一バージョンとすることができる。
【０１１３】
ターゲットＨＮＢ１１のモビリティ管理モジュール６９及びターゲットＨＮＢゲートウェイ１５のモビリティ管理モジュール１１７は、移動電話の再配置の完了を管理するようにさらに動作可能であり、該再配置の完了は、移動電話の能力（特に該移動電話のＣＳＧ能力）及び／又は元の呼の理由（特に呼が緊急呼であるか否か）を識別する情報に基づいて、ターゲット（新たなソース）ＨＮＢ−ＧＷ及び／又はターゲット（新たなソース）ＨＮＢによって実行されることになる任意のアクセス制御の特性を求めること、並びにそのようなアクセス制御を所望の場合に実行することを含む。
【０１１４】
このため、この実施態様によれば、ソースＨＮＢ１１からターゲットＨＮＢ１１への再配置の後、ソースＨＮＢ１１において利用可能な情報（たとえばＵＥ能力、登録理由、及びＵＥアイデンティティ）が、有利にはターゲットＨＮＢ１１及びターゲットＨＮＢ−ＧＷ１５の双方において利用可能にされる。能力情報を利用可能にすることによって、新たなＨＮＢ−ＧＷ１５が、移動電話がＣＳＧ対応であるか否か、及び／又は移動電話がプレリリース８電話であるか否かに基づいて、アクセス制御を実行するべきか否か及び／又はどのように実行するべきかを判断することが可能になる。登録理由を利用可能にすることによって、新たなＨＮＢ−ＧＷ１５が、進行中の呼が緊急呼であるか否かに基づいて、アクセス制御を実行するべきか否か及び／又はどのように実行するべきかを判断することが可能になる。アイデンティティ情報を利用可能にすることによって、再配置の後に、ＵＥアイデンティティが、登録時に電話を識別するのに元々用いられた形態でＨＮＢ−ＧＷにおいて維持されることが確実になり、したがって、元のコンテキストにリンクされたままのＵＥアイデンティティが失われないことが確実になる。
【０１１５】
「ＲＡＮＡＰ再配置要請」メッセージにおける「ＳＲＮＳ再配置情報」メッセージへの情報の導入は、好都合には、情報をターゲットＨＮＢ１１及びＨＮＢ−ＧＷ１５に提供するための既存のシグナリングリソースを利用する。
【０１１６】
（３）マクロ対フェムト再配置−更新されたＲＮＣの使用
マクロセルからフェムトセルへの再配置の場合、ＲＮＣ７のモビリティ管理モジュール８５（基地局５がソースノードとして機能しているとき）は、再配置要請メッセージをソースＨＮＢ−ＧＷ１５に伝送するためのＲＵＡ直接転送メッセージを生成する必要がない）。したがって、モビリティ管理モジュール８５は、再配置がトリガーされると、再配置要請メッセージ（たとえば３ＧＰＰ  ＴＳ２５．４１３  ｖ．８．２．１のセクション９．１．９において言及されているような無線アクセスネットワークアプリケーション部（ＲＡＮＡＰ）再配置要請メッセージ又はその変形）の生成を管理し、生成されたメッセージをネットワークインターフェース７５を介してコアネットワーク８に直接通信するのを管理するように動作可能である。
【０１１７】
ＲＮＣ７のモビリティ管理モジュール８５は、再配置要請メッセージ内に、図６及び図７を参照して説明したのと同じ又は類似の情報含めるように動作可能である。すなわち、該情報は、
（ａ）ソースＲＮＣ及びターゲットＲＮＣ（それぞれ、説明される実施態様におけるソースＨＮＢ及びターゲットＨＮＢの一部）並びにターゲットセルを識別する情報（たとえば、ＳＲＮＣ  ｉｄ、ＴＲＮＣ  ｉｄ、及びターゲットセルＩＤ）と、
（ｂ）移動電話のアイデンティティを識別する情報（たとえば該移動電話の国際移動体加入者識別番号（ＩＭＳＩ）、一時移動体加入者識別番号（ＴＭＳＩ）、パケット一時移動体加入者識別番号（Ｐ−ＴＭＳＩ）等）（たとえば、３ＧＰＰ  ＴＳ２５．４６９  ｖ８．１．０のセクション９．２．１７において言及されているＩＥ／ＩＥグループ「ＵＥアイデンティティ」又はその変形、表２を参照されたい）と、
（ｃ）移動電話の能力を識別する情報（たとえば、該移動電話のアクセス層リリース指示子及び／又は限定加入者グループ能力）（たとえば、３ＧＰＰ  ＴＳ２５．４６９  ｖ８．１．０のセクション９．２．２４において言及されているＩＥ／ＩＥグループ「ＵＥ能力」又はその変形、表３を参照されたい）と、
（ｄ）ＨＮＢへの登録事由を識別する情報（たとえば、呼が緊急呼であるか否か）（たとえば、３ＧＰＰ  ＴＳ２５．４６９  ｖ８．１．０のセクション９．２．２１において言及されているＩＥ／ＩＥグループ「登録理由」又はその変形、表４を参照されたい）と、
を含む。
【０１１８】
モビリティ管理モジュール８５は、（たとえば図６を参照して説明されたように）トランスペアレントなコンテナにこの情報をパッケージングするか、又は（たとえば図７を参照して説明されたように）ＲＲＣ再配置情報メッセージ内にこの情報を符号化するのを管理することができる。
【０１１９】
コアネットワークは、再配置要請メッセージを受信し、該再配置要請メッセージに基づいて再配置要求メッセージ（たとえばＲＡＮＡＰ再配置要求メッセージ）を生成し、該生成された再配置要求メッセージをターゲットＨＮＢ−ＧＷ１５に通信するように動作可能である（８）。コアネットワーク８は、再配置要請メッセージを生成するとき、（図６による）トランスペアレントなコンテナ、又は移動電話のアイデンティティ及び能力、並びに元の登録の理由を識別する情報を搬送する（図７による）再配置情報メッセージと、ターゲットセルを識別する情報（たとえば、ターゲットセルＩＤ）とを含めるように動作可能である。
【０１２０】
コアネットワーク８、ターゲットＨＮＢ−ＧＷ１５、及びターゲットＨＮＢ１１は、次に、図６を参照して説明したように（情報がトランスペアレントなコンテナにおいて搬送される場合）、又は図７を参照して説明したように（情報がＲＲＣ再配置情報メッセージにおいて搬送される場合）、プロセスの残りの部分に従うように動作可能である
【０１２１】
（４）マクロ対フェムト再配置−より古いＲＮＣ
しかしながら、より古い（たとえばリリース８）ＲＮＣの場合、これらは一般に、再配置要請メッセージ内に、リリース８標準規格において規定されたＩＥ／ＩＥグループしか含むことができず、図６及び図７を参照して説明された全ての情報を送信することはできない。図８は、この状況を改善することを目的とした、図１の電気通信システム１の例示的な一実施態様の動作を示している。
【０１２２】
モビリティ管理モジュール８５は、再配置要請メッセージ内に複数の（リリース８の）情報要素（ＩＥ）及び／又はＩＥグループを含めるように動作可能であり、これらは、
（ａ）ソースＲＮＣ及びターゲットＲＮＣ（それぞれ説明された実施態様における  ソースＨＮＢ及びターゲットＨＮＢの部分）並びにターゲットセルを識別する情報（たとえば、ＳＲＮＣ  ｉｄ、ＴＲＮＣ  ｉｄ、及びターゲットセルＩＤ）と、
（ｂ）移動電話の能力（たとえば該移動電話の限定加入者グループ能力）を（たとえば３ＧＰＰ  ＴＳ２５．３３１  ｖ８．６．０のセクション１０．３．３．４２において言及されているＩＥ／ＩＥグループ「ＵＥ無線アクセス能力」内のオプションの「ＣＳＧのサポート」ＩＥ又はその変形を用いて）識別する情報と、
を含む。
【０１２３】
ＲＮＣのモビリティ管理モジュール８５は、再配置情報を搬送するのに適した無線リソース制御（ＲＲＣ）メッセージ、たとえば３ＧＰＰ  ＴＳ２５．３３１バージョン８．６．０のセクション１４．１２．４．２において言及されている「サービング無線ネットワークサブシステム（ＳＲＮＳ）再配置情報」メッセージ又はその変形内に、移動電話の能力を識別する情報を（たとえば無線リソース管理モジュール８３のＲＲＣ符号化機能を用いて）符号化するのを管理するようにさらに動作可能である。
【０１２４】
コアネットワークは、再配置要請メッセージを受信し、該再配置要請メッセージに基づいて再配置要求メッセージ（たとえばＲＡＮＡＰ再配置要求メッセージ）を生成し、該生成された再配置要求メッセージをターゲットＨＮＢ−ＧＷに通信するように動作可能である（８）。コアネットワーク８は、再配置要求メッセージを生成するとき、ターゲットセルを識別する情報（たとえば、ターゲットセルＩＤ）、及び移動電話の能力を識別する情報を搬送するＲＲＣ再配置情報メッセージに加えて、元の登録の理由を識別する情報（たとえば呼が緊急呼であるか否かを識別する情報）を含めるように動作可能である。当業者であれば理解するように、ＲＡＮＡＰ再配置要求メッセージの場合、移動電話３を識別する情報は、国際移動体加入者識別番号（ＩＭＳＩ）の形態で再配置要求メッセージ内に（たとえば「永続ＮＡＳ  ＵＥアイデンティティ」情報要素内に）含めることもできる。
【０１２５】
各ＨＮＢ−ＧＷ１５（ターゲットＨＮＢ−ＧＷとして動作しているとき）は、コアネットワーク８によってコアネットワークインターフェース１０５を介して該ＨＮＢ−ＧＷ１５に通信された再配置要求メッセージを受信するように動作可能である。しかしながら、上述したように、ＨＮＢ−ＧＷ１５は一般に、ＲＲＣ復号器を設けられておらず、したがって、一般にＲＲＣメッセージ（ＲＲＣ再配置情報メッセージ等）を復号するのに適していない。このため、ターゲットＨＮＢ−ＧＷ１５は、ＲＲＣ再配置要求メッセージによって搬送されるＲＲＣ再配置情報メッセージから直接移動電話の能力を抽出することができない。しかしながら、この実施態様では、元の登録の理由を識別する情報は、ＲＲＣ再配置情報メッセージの部分を形成しない。したがって、ＲＮＣのモビリティ管理モジュール８５は、再配置要求メッセージから直接登録理由を抽出するのを管理するように動作可能である。
【０１２６】
各ＨＮＢ−ＧＷ１５（ターゲットＨＮＢ−ＧＷとして動作しているとき）のモビリティ管理モジュール１１７は、ターゲットＨＮＢ１１とのシグナリング接続を確立し、該ターゲットＨＮＢに再配置要求メッセージを伝送するためのＲＵＡ接続メッセージ（たとえば３ＧＰＰ  ＴＳ２５．４６８  ｖ．８．１．０のセクション９．１．３において言及されているようなＲＵＡ接続メッセージ（RUA CONNECT MESSAGE）又はその変形、表６）を生成するようにさらに動作可能である。
【０１２７】
各ＨＮＢ１１（ターゲットＨＮＢ−ＧＷとして機能しているとき）は、ＨＮＢ−ＧＷインターフェース５５を介してＲＵＡ接続メッセージを受信するように動作可能である。ターゲットＨＮＢ１１のモビリティ管理モジュール６９は、受信したＲＵＡ接続メッセージから再配置要求メッセージを抽出し、再配置要求メッセージによって搬送されるＲＲＣ再配置情報メッセージから、移動電話の能力を、（たとえば無線リソース管理モジュール６７によって提供されるＲＲＣ復号機能を用いて）復号するのを管理するように動作可能である。
【０１２８】
モビリティ管理モジュール６９は、抽出された、移動電話の能力を識別する情報を、ターゲットＨＮＢ−ＧＷ１５に返送するためのメッセージの生成を管理し、その後、生成されたメッセージをターゲットＨＮＢ−ＧＷ１５に通信するのを管理するようにさらに動作可能である。メッセージは、ターゲットＨＮＢ−ＧＷ１５が解釈するのに適した任意のメッセージ、たとえば、専用ＨＮＢアプリケーション部（ＨＮＢＡＰ）プロトコルメッセージ又は既存のメッセージの一バージョンとすることができる。
【０１２９】
ターゲットＨＮＢ１１のモビリティ管理モジュール６９及びターゲットＨＮＢゲートウェイ１５のモビリティ管理モジュール１１７は、移動電話３の再配置の完了を管理するようにさらに動作可能であり、該再配置の完了は、移動電話の能力（特に該移動電話のＣＳＧ能力）及び／又は元の呼の理由（特に呼が緊急呼であるか否か）を識別する情報に基づいて、ターゲット（新たなソース）ＨＮＢ−ＧＷ１５及び／又はターゲット（新たなソース）ＨＮＢ１１によって実行されることになる任意のアクセス制御の特性を求めること、並びにそのようなアクセス制御を所望の場合に実行することを含む。
【０１３０】
このため、この実施態様によれば、マクロセルルが旧式（たとえばリリース８）のＲＮＣを有するにもかかわらず、マクロセルからターゲットＨＮＢ１１のターゲットセルへの再配置の後、情報（たとえばＵＥ能力及び登録理由）が、ターゲットＨＮＢ１１及びターゲットＨＮＢ−ＧＷ１５の双方において有利に利用可能にされる。能力情報を利用可能にすることによって、新たなＨＮＢ−ＧＷ１５が、たとえば移動電話がＣＳＧ対応であるか否か、及び／又は移動電話がプレリリース８電話であるか否かに基づいて、アクセス制御を実行するべきか否か及び／又はどのように実行するべきかを判断することが可能になる。登録理由を利用可能にすることによって、新たなＨＮＢ−ＧＷ１５が、進行中の呼が緊急呼であるか否かに基づいて、アクセス制御を実行するべきか否か及び／又はどのように実行するべきかを判断することが可能になる。
【０１３１】
変更形態及び代替形態
上記で詳細な実施形態が説明された。当業者であれば理解するように、上記の実施形態に対し、複数の変更及び代替を行うことができ、該変形及び代替において具現化される発明から依然として利益を受けることができる。
【０１３２】
上記の実施形態では、移動電話ベースの通信システムが説明された。当業者であれば理解するように、本出願において記載されたシグナリング技法を他の通信システムに用いることができる。他の通信ノード又は通信デバイスは、たとえば、個人用携帯情報端末、ラップトップコンピューター、ウェブブラウザー等のようなユーザーデバイスを含むことができる。
【０１３３】
上記の実施形態では、移動電話、ＲＮＣ、ＨＮＢ、及びＨＮＢ−ＧＷのそれぞれが送受信機回路部を備えている。通常、この回路部は専用ハードウェア回路によって形成される。しかしながら、いくつかの実施形態では、送受信機回路部の一部は、対応するコントローラによって実行されるソフトウェアとして実装することもできる。
【０１３４】
上記の実施形態では、複数のソフトウェアモジュールが説明された。当業者であれば理解するように、それらのソフトウェアモジュールは、コンパイルされた形式でもコンパイルされていない形式でも提供することができ、コンピューターネットワークを介した信号として又は記録媒体上で、ＲＮＣ、ＨＮＢ、ＨＮＢ−ＧＷ、又は移動電話に供給することができる。さらに、このソフトウェアの一部又は全てによって実行される機能は、１つ又は複数の専用ハードウェア回路を用いて実行することができる。しかしながら、ソフトウェアモジュールの使用によって、基地局、ゲートウェイ、及び移動電話の機能を更新するために該基地局、ゲートウェイ、及び該移動電話を更新するのが容易になるため、ソフトウェアモジュールの使用が好ましい。
【０１３５】
当業者には様々な他の変更形態が明らかであり、ここではこれ以上詳細には説明しない。
【０１３６】
以下は本発明を現在提案されている３ＧＰＰ標準規格において実施することができる方法の詳細な説明である。様々な特徴が重要又は必須であるものとして説明されているが、これは、たとえば標準規格によって課される他の要件に起因して、提案された３ＧＰＰ標準規格にのみ当てはまる場合がある。したがって、これらの表現は本発明をいかなる形でも限定するものと解釈されるべきではない。
【０１３７】
１．序論
Ｒｅｌ−８において、ＵＥ登録中、ＩＥ、すなわちＵＥ能力及び登録理由が、ＨＮＢ−ＧＷに送信される。Ｒｅｌ’９において、ＨＮＢから別のＨＮＢへの、又はマクロからＨＮＢへの再配置手順中、ソースＨＮＢ又はマクロネットワークにおいて利用可能／知られているこれらのパラメーター（ＵＥ能力及び登録理由）は、ターゲットＨＮＢにおいて利用可能にされなくてはならない。
【０１３８】
これらのＩＥは、呼の期間中、ソースＨＮＢ又はＲＮＣにおいて保持され、したがって、再配置の後、これらのＩＥはターゲットＨＮＢ−ＧＷ及びターゲットＨＮＢにおいて利用可能にされるべきである。
【０１３９】
２．考察
再配置の後のターゲットＨＮＢ／ＨＮＢ−ＧＷにおけるこれらのパラメーターの必要性
これらのパラメーターは、ソースＨＮＢ／ＨＮＢ−ＧＷ又はマクロネットワークにおいて利用可能である。このため、再配置の後、ターゲットＨＮＢ／ＨＮＢ−ＧＷもこれらのパラメーターを有しているべきである。
【０１４０】
ＵＥ能力
ＣＳＧ  ＵＥがターゲットＨＮＢ／ＨＮＢ−ＧＷに完全に再配置された事例を考察する。その後、ＵＥがＨＮＢ−ＧＷ内再配置を実行している場合、現在のソースＨＮＢ−ＧＷは、アクセス制御を実行するべきか否かがわからない。なぜなら、ＨＮＢ−ＧＷにおいてＵＥ能力が利用可能でないので、ＨＮＢ−ＧＷは、ＵＥがＣＳＧ  ＵＥであるのか又は非ＣＳＧ  ＵＥであるのかわからないためである。このため、「ＵＥ能力」は存在しなくてはならない。
【０１４１】
登録理由
上記（ＵＥ能力）と同じ事例を考察する。新たなソースＨＮＢ−ＧＷは、登録理由が緊急呼である場合、後続の再配置において非ＣＳＧ  ＵＥのためのアクセス制御を実行してはならない。このため、「登録理由」は存在しなくてはならない。
【０１４２】
これらのＩＥは、以下のようなＲＡＮＡＰ再配置要請メッセージ内のソースＲＮＣからターゲットＲＮＣへのトランスペアレントなコンテナに導入されることになる。
【０１４３】
【表７】
0005408459.tif 000008
【０１４４】
提案：パラメーター、すなわち登録理由及びＵＥ能力を、ソースＲＮＣからターゲットＲＮＣへのトランスペアレントなコンテナに付加する。
【０１４５】
３．提案
提案：パラメーター、すなわち登録理由及びＵＥ能力を、ソースＲＮＣからターゲットＲＮＣへのトランスペアレントなコンテナに付加する。
【０１４６】
４．参照
［１］３ＧＰＰ  ＴＳ２５．４６９ＨＮＢＡＰプロトコル仕様書
さらなる実施態様
フェムト対フェムト再配置
ＨＮＢから別のＨＮＢへの再配置手順中、ソースＨＮＢにおいて利用可能なパラメーター（ＵＥ能力、登録理由、及びＵＥアイデンティティ）はターゲットＨＮＢにおいて利用可能にされなくてはならない。これらのＵＥは、呼の期間中、ソースＨＮＢ内に保持され、したがって、再配置の後、これらのＩＥはターゲットＨＮＢ−ＧＷ及びターゲットＨＮＢにおいて利用可能にされるべきである。
【０１４７】
ターゲットＨＮＢ／ＨＮＢ−ＧＷにおけるこれらのパラメーターの必要性
これらのパラメーターはソースＨＮＢ／ＨＮＢ−ＧＷにおいて利用可能である。このため、再配置の後、ターゲットＨＮＢ／ＨＮＢ−ＧＷもこれらのパラメーターを有するべきである。
【０１４８】
ＵＥアイデンティティ
ＩＭＳＩは、既にＲＡＮＡＰ再配置要求におけるＩＥである。しかし、ＨＮＢＡＰ標準規格によれば、ＵＥアイデンティティはＩＭＳＩ又はＴＭＳＩ／Ｐ−ＴＭＳＩ又はＩＭＥＩ等であり得る。ソースＨＮＢに格納されるいかなるＵＥアイデンティティも、再配置の後、ターゲットＨＮＢにおいて利用可能であるべきである。したがって、ソースＨＮＢは、ＲＡＮＡＰ再配置要求においてＩＭＳＩを送信するＣＮに関わらず、利用可能で、コンテキストにリンクされたいかなるＵＥアイデンティティも符号化するべきである。
【０１４９】
登録理由
上記（ＵＥ能力）と同じ事例を考察する。新たなソースＨＮＢ−ＧＷは、登録理由が緊急呼である場合、後続の再配置において非ＣＳＧ  ＵＥのためのアクセス制御を実行してはならない。このため、「登録理由」は存在しなくてはならない。
【０１５０】
ＵＥ能力
ＣＳＧ  ＵＥがターゲットＨＮＢ／ＨＮＢ−ＧＷに完全に再配置された事例を考察する。その後、ＵＥがＨＮＢ−ＧＷ内再配置を実行している場合、現在のソースＨＮＢ−ＧＷは、アクセス制御を実行するべきか否かがわからない。なぜなら、ＨＮＢ−ＧＷにおいてＵＥ能力が利用可能でないので、ＨＮＢ−ＧＷは、ＵＥがＣＳＧ  ＵＥであるのか又は非ＣＳＧ  ＵＥであるのかわからないためである。このため、「ＵＥ能力」は存在しなくてはならない。
【０１５１】
これらのＩＥは、ＲＡＮＡＰ再配置要請メッセージ内のソースＲＮＣからターゲットＲＮＣへのトランスペアレントなコンテナに導入されることになる。
【０１５２】
【表８】
0005408459.tif 000009
【０１５３】
提案１：パラメーター、すなわち、ＵＥアイデンティティ、登録理由、及びＵＥ能力をソースＲＮＣからターゲットＲＮＣへのトランスペアレントなコンテナに付加する。
【０１５４】
これらの情報は、ＳＲＮＳ再配置情報からも導出することができる。しかし、ＨＮＢ−ＧＷはＲＲＣ復号器を有しない。したがって、ＨＮＢ−ＧＷはこれらのＩＥを得ることができない。ＩＵインターフェースにおいて提言されるようにこれらのＩＥが含まれない場合、ＨＮＢはＳＲＮＳ再配置情報を復号し、ＩＥ、すなわちＵＥアイデンティティ、登録理由、ＵＥ能力をリトリーブする必要があり、そしてこれらのＩＥをＨＮＢＡＰメッセージを介してＨＮＢ−ＧＷに送信しなくてはならない。
【０１５５】
提案２ａ：パラメーター、すなわちＵＥアイデンティティ、登録理由、及びＵＥ能力をＳＲＮＳ再配置情報に付加する。
【０１５６】
提案２ｂ：ＨＮＢがＳＲＮＳ再配置情報を復号し、パラメーター、すなわちＵＥアイデンティティ、登録理由、及びＵＥ能力をＨＮＢＡＰメッセージを介してＨＮＢ−ＧＷに送信する。
【０１５７】
マクロ対フェムト再配置
インバウンドモビリティの場合にもそのような処理を実行しなくてはならない。ＲＮＣはＲｅｌ’９のＲＮＣ又はＲｅｌ’８のＲＮＣとすることができる。
【０１５８】
ＲＮＳがＲｅｌ’９のＲＮＣである場合、ＲＮＣはこれらのパラメーターをソースＲＮＣからターゲットＲＮＣへのトランスペアレントなコンテナ又はＳＲＮＳ再配置情報のいずれかにおいて送信することができる。効果はフェムト対フェムト再配置の場合と同じである。
【０１５９】
しかし、ＲＮＣがリリース８のＲＮＣである場合、ＲＮＣはこれらのパラメーターのうちのいずれも送信することができないことを意味する。したがって、ＣＮは、パラメーター、すなわち登録理由を、ＲＡＮＡＰ再配置要求メッセージにおいてＨＮＢ−ＧＷに送信するべきである。ＵＥアイデンティティはＲＡＮＡＰ再配置要求におけるＩＭＳＩで十分であるので必要ない。ＵＥ能力もＨＮＢによって復号され、ＨＮＢＡＰメッセージを介してＨＮＢ−ＧＷに送信されなくてはならない。
【０１６０】
提案３ａ：パラメーター、すなわち登録理由をＲＡＮＡＰ再配置要求に付加する。
【０１６１】
提案３ｂ：ＨＮＢはＳＲＮＳ再配置情報を復号し、パラメーター、すなわちＵＥ能力を、ＨＮＢＡＰメッセージを介してＨＮＢ−ＧＷに送信する。
【図１】
0005408459.tif 000010
【図２】
0005408459.tif 000011
【図３】
0005408459.tif 000012
【図４】
0005408459.tif 000013
【図５】
0005408459.tif 000014
【図６】
0005408459.tif 000015
【図７】
0005408459.tif 000016
【図８】
0005408459.tif 000017